(57)【特許請求の範囲】
【請求項１】
無線信号により基地局を介して通話を行う複数の移動局と、各セルを構成し、前記移動局より送信される無線信号を受信すると共に、前記移動局に対して無線信号を送出する複数の基地局とから構成されるセルラー式通信システムにおいて、
前記基地局は夫々、自セルから数セル先に存在する複数の移動局が自セルにハンドオーバーされる確率を各々算出し、自セルの全チャネル数に対して空きチャネル数が多い場合には、ハンドオーバーされる確率の低い移動局に対してもチャネルが確保されるように、空きチャネル数が少ない場合には、ハンドオーバーされる確率の高い移動局に対してチャネルが確保されるように、前記移動局に対してチャネルを割当てるかを決定する基準となる基準確率値を変化させるよう構成されていることを特徴とするセルラー式通信システム。
【請求項２】
無線信号により基地局を介して通話を行う複数の移動局と、各セルを構成し、前記移動局より送信される無線信号を受信すると共に、前記移動局に対して無線信号を送出する複数の基地局とから構成されるセルラー式通信システムにおいて、
前記基地局は夫々、該基地局に近い移動局が存在する場合には、該移動局に対してチャネルが確保されるように、前記移動局に対してチャネルを割当てるかを決定する基準となる基準確率値を変化させるよう構成されていることを特徴とするセルラー式通信システム。
【請求項３】
無線信号により基地局を介して通話を行う複数の移動局と、各セルを構成し、前記移動局より送信される無線信号を受信すると共に、前記移動局に対して無線信号を送出する複数の基地局とから構成されるセルラー式通信システムにおいて、
前記複数の移動局は、ハンドオーバーしたセルを構成する基地局に時刻情報を含むハンドオーバーに関する情報を同報し、該ハンドオーバーを受信した基地局は、他の基地局に対して前記時刻情報を同報送信し、
該時刻情報を受信した基地局は夫々、前記時刻情報から前記移動局の移動速度を算出すると共に、前記移動局の移動速度が速い場合には、該移動局に対してチャネルが確保されるように、前記移動局に対してチャネルを割当てるかを決定する基準となる基準確率値を変化させるよう構成されていることを特徴とするセルラー式通信システム。
【請求項４】
無線信号により基地局を介して通話を行う複数の移動局と、各セルを構成し、前記移動局より送信される無線信号を受信すると共に、前記移動局に対して無線信号を送出する複数の基地局とから構成されるセルラー式通信システムにおいて、
前記移動局は夫々、ハンドオーバーしたセルを構成する基地局に時刻情報を含むハンドオーバーに関する情報を同報し、該ハンドオーバーを受信した基地局は、他の基地局に対して前記時刻情報を同報送信し、
該時刻情報を受信した基地局は夫々、前記時刻情報から前記移動局の移動加速度を算出すると共に、前記移動局の移動加速度が大きい場合には、該移動局に対してチャネルが確保されるように、前記移動局に対してチャネルを割当てるかを決定する基準となる基準確率値を変化させるよう構成されていることを特徴とするセルラー式通信システム。
【請求項５】
無線信号により基地局を介して通話を行う複数の移動局と、各セルを構成し、前記移動局より送信される無線信号を受信すると共に、前記移動局に対して無線信号を送出する複数の基地局とから構成されるセルラー式通信システムにおいて、
前記基地局は夫々、自セルから数セル先に存在する複数の移動局がハンドオーバーしたセルの方向から、それらの移動局が自セルにハンドオーバーされる確率を各々算出し、これらの確率から確保すべきチャネル数の期待値を求めて、予めチャネル確保を行うことを特徴とするセルラー式通信システム。
【請求項６】
前記基地局が、自セルからｎステップの範囲に存在する複数の移動局が自セルにハンドオーバーされる確率を各々算出するように設定されているとき、ハンドオーバー先のセルを構成する基地局は、（ｎ＋１）ステップ先までのセルを構成する各基地局に対してハンドオーバーに関する情報を同報し、
前記基地局は夫々、他の基地局から同報された情報から自セルに移動局がハンドオーバーされる確率を算出することを特徴とする請求項５記載のセルラー式通信システム。
【請求項７】
前記基地局は夫々、ハンドオーバーが発生したときに同報する情報に時刻情報を付与し、ハンドオーバーの時刻差から前記移動局の移動速度を判別し、移動速度が速ければ、ｎステップの範囲を有する、ハンドオーバーされる確率を算出する確率算出ゾーンと、（ｎ＋１）ステップの範囲を有する、ハンドオーバーに関する情報を同報する同報ゾーンとを共に大きくすることを特徴とする請求項６記載のセルラー式通信システム。
【請求項８】
前記基地局は夫々、ハンドオーバーが発生したときに、自セルから離れていく位置関係にある前記移動局が存在するセルを構成する基地局に対しては、該基地局が自セルから（ｎ＋１）ステップの範囲内であっても、ハンドオーバーに関する情報を同報通知しないことを特徴とする請求項６記載のセルラー式通信システム。
【請求項９】
前記基地局は夫々、自セルからｎステップの範囲に存在する複数の移動局が自セルにハンドオーバーされる確率を各々算出する確率算出ゾーンと、自セルから（ｎ＋１）ステップ先までのセルを構成する各基地局に対してハンドオーバーに関する情報を同報する同報ゾーンとを設定し、過去のトラフィック履歴から、利用頻度の高いルートを考慮して前記移動局が自セルにハンドオーバーされる確率を算出することを特徴とする請求項５記載のセルラー式通信システム。
【請求項１０】
前記基地局は夫々、自セルからｎステップの範囲に存在する複数の移動局が自セルにハンドオーバーされる確率を各々算出する確率算出ゾーンと、自セルから（ｎ＋１）ステップ先までのセルを構成する各基地局に対してハンドオーバーに関する情報を同報する同報ゾーンとを設定し、ゾーン単位の遷移確率から前記移動局が自セルにハンドオーバーされる確率を算出することを特徴とする請求項５記載のセルラー式通信システム。
【請求項１１】
前記基地局は夫々、前記移動局が有する固有のＩＤをキーとして、該移動局が自セルにハンドオーバーされる確率を算出することを特徴とする請求項９または請求項１０記載のセルラー式通信システム。
【請求項１２】
前記基地局は夫々、自セルからｎステップの範囲に存在する複数の移動局が自セルにハンドオーバーされる確率を各々算出する確率算出ゾーンと、自セルから（ｎ＋１）ステップ先までのセルを構成する各基地局に対してハンドオーバーに関する情報を同報する同報ゾーンとを設定し、前記移動局の呼が終了したとき、または、前記移動局が前記確率算出ゾーン外のセルにハンドオーバーしたときに、前記同報ゾーン内の基地局に対して通知を行うと共に、チャネル確保を解除することを特徴とする請求項１記載のセルラー式通信システム。
【請求項１３】
前記基地局は夫々、前記移動局が自セルにハンドオーバーされる確率が所定値以上であっても、所定時間内に自セルに対してハンドオーバーされなかったときには、タイマのタイムアウトによりチャネル確保を解除することを特徴とする請求項１記載のセルラー式通信システム。
【請求項１４】
前記基地局は夫々、前記移動局が自セルにハンドオーバーされる確率が所定値以上であっても、所定時間内にどのセルに対してもハンドオーバーされなかったときには、タイマのタイムアウトによりチャネル確保を解除することを特徴とする請求項１記載のセルラー式通信システム。
【請求項１５】
前記基地局は夫々、前記移動局が自セルにハンドオーバーされる確率が所定値以上であっても、自セルから離れていく方向のセルに前記移動局がハンドオーバーされたときには、チャネル確保を解除することを特徴とする請求項１記載のセルラー式通信システム。
【発明の詳細な説明】
【０００１】
【発明の属する技術分野】
本発明は、携帯電話やＰＨＳなどのセルラー式通信システムにおけるチャネル割当てに関するものである。
【０００２】
【従来の技術】
従来、移動局の進行方向を考慮したチャネル割当て方法に関し、その移動局に対してチャネルを割当てるかどうかを決定するための基準確率値Pthredを固定値とし、過去のハンドオーバー履歴のみから、基準確率値Pthredとの比較により、チャネル割当て／非割当てを決定するセルラー式通信システムがあった。また、そのシステムは、自セルにハンドオーバーされる確率を何ステップ先までのゾーンを考慮して算出するかを決定する確率算出ゾーンと、ハンドオーバーに関する情報を何ステップ先までの他の基地局に通知するかを決定する同報ゾーンとの設定においては、同じステップ数ｎのゾーンまで、確率算出、ハンドオーバーに関する情報の同報を行うように構成されていた。また、移動局の移動速度に関係なく、同報ゾーンの大きさは一定で、移動局の移動方向に関係なく、ゾーン内の全セルに対して同報するもので、さらに、セルの配置関係から、最短距離に相当する経路のみを対象としてハンドオーバーされる確率を算出するものであり、この確率値は各移動局に対して同じ値が用いられていた。
【０００３】
また、予約チャネルを開放する方法に関しては、移動局の進行方向を考慮したチャネル割り当て方法が提案されている。その方法は、ハンドオーバー確率を、自セルからｎステップの範囲内の対象ゾーン（確率算出ゾーン）について算出し、ハンドオーバーまたは呼の終了を同報するゾーン（同報ゾーン）も自セルからｎステップの範囲について行うというものであり、この方式では、チャネルの予約を開始してからある一定時間を経過するまでに、チャネル予約の対象である移動局がハンドオーバーしなかった場合にのみチャネルを開放するものであった。
【０００４】
【発明が解決しようとする課題】
以上に説明したように、従来のセルラー式通信システムでは、空きチャネル数、移動局との距離、移動局の移動速度、移動局の加速度に関わらず、移動局に対して空きチャネルを確保するかを決定する基準確率値Pthredを固定値として運用していた。
【０００５】
空きチャネル数との関係においては、基地局の空きチャネルが多く、割り当てる余裕がある場合には、基準確率値Pthredの値を低く設定し、より柔軟にチャネル割当てを実施してもよく、逆に空きチャネルが少ない場合には、慎重にチャネルを割り当てるために基準確率値Pthredの値は高く設定するべきである。
【０００６】
また、移動局との距離との関係では、移動局が近くに存在する場合には、いつハンドオーバーされても対応できるようになるべく基準確率値Pthredの値を低く設定するべきであり、一方、移動局が遠くに存在する場合には、ある程度余裕を持って対応してもよいので、基準確率値Pthredは比較的高く見積もっても問題のないものである。
【０００７】
また、移動局の移動速度との関係については、移動局が比較的高速で接近している場合には、いつハンドオーバーされても対応できるようになるべく基準確率値Pthredの値を低く設定すべきであり、一方、移動局が比較的低速で接近している場合には、ある程度余裕を持って対応してもよいので基準確率値Pthredは比較的高く見積もっても問題のないものである。
【０００８】
さらに、移動局の加速度との関係においては、移動局が加速して接近している場合には、いつハンドオーバーされても対応できるようになるべく基準確率値Pthredの値を低く設定するべきであり、一方、移動局が減速して接近している場合には、ある程度余裕を持って対応してもよいので、基準確率値Pthredは比較的高く見積もっても問題のないものである。
【０００９】
また、移動中の通話呼の品質を向上させるためのチャネル確保は必要であるが、冗長なチャネル確保はチャネルリソースの有効利用に反するので、このようなチャネル確保は無制限に実施されていいものではなく、必要最小限にして最大の効果を発揮するものでなければならないが、以上に説明したように、基準確率値Pthredを固定値として運用した場合は、チャネル割当ての最適化が図られていなかった。
【００１０】
また、ハンドオーバー確率を算出する対象となるゾーン内に複数の移動局が存在する場合においても、各々の移動局に対するチャネル割当て数は０か１であるとしていたため、基地局が確保すべき全チャネル数は、各移動局のハンドオーバー確率の値によって、０から確率算出ゾーンに存在する全移動局数までの値を取り得たが、各基地局は移動局数とハンドオーバー確率から、最適な予約チャネル数を算出し移動局に割当てる必要がある。
【００１１】
さらに、移動局がハンドオーバーした結果、確率算出ゾーンに移動してきた場合、同報によりハンドオーバーを通知された各基地局は、自セルに対してハンドオーバーされる確率を算出する。このとき起こり得る移動局の動作としては、（１）実際にハンドオーバーされる、（２）ハンドオーバーされる前に確率算出ゾーンにおいて呼が終了する、（３）通話中に再び確率算出ゾーン外へ出る、という動作が考えられるが、従来は、（３）の場合の動作が考慮されていなかった。確率算出ゾーン外へ出たということは、その移動局が確率算出の対象から外れることを意味する。従って、何らかの手段を用いて、確率を算出している基地局に対して「移動局が圏外に出た」ことを通知する必要があった。
【００１２】
また、移動局の移動速度と同報ゾーンとの関係については、ハンドオーバーした移動局と、その移動局のハンドオーバー確率を算出する基地局との距離が同じであっても、その移動局が高速で近づいている場合は、確率値をもとに予測し始めてから実際にハンドオーバーされるまでの時間が短い。よって、このような場合、確率を算出して、予測する基地局は移動局が比較的遠隔に存在する時点から、移動局の存在を認識する必要があった。そのためには、同報する基地局は同報エリアを大きくしなければならず、また、同報情報を受ける側の基地局もそれに応じて確率算出対象ゾーンを広く設定しなければならなかった。
【００１３】
移動局の移動方向と同報セルの関係においても、一般的に移動中の移動局は完全にランダムな方向へ移動するのではなく、その時点での移動方向から次の移動方向の確率がそれぞれ異なる。車や電車などの移動物体中の移動局の動きに代表されるように、速度ベクトルが瞬時に９０度を越える（例えば、来た道を戻る）ようなことは希である。従って、移動局がハンドオーバーされた時点において同報する情報について、移動局が離れていく位置関係に存在するセルに対して通知することは、回線を利用して過多な情報を提供することになり、回線の有効利用の観点から問題であった。
【００１４】
また、セルラー式通信システムは、運用されている実際の道路・交通環境を考慮すると、周囲360 度全て均等な確率で移動局がハンドオーバーされることや、セル間の最短ステップが移動局の最も遷移確率が高いルートであるということはほとんどありえない。つまり、移動局の移動方向によってハンドオーバーされる移動局の数にはばらつきがあり、また、道路がカーブしている場所においては、必ずしも最短距離を確率算出対象とすることは適当でない。従来は、計算量を抑えるために無数の経路から最短ルートのみを確率算出の対象としていたが、計算量を増加させることなく、より現実的なハンドオーバー確率の算出方法を採用する必要があった。さらに、移動局の移動の性質は、その行動パターンから個々の移動局によって様々である。したがって、移動局とその移動局のハンドオーバー確率を算出する基地局が同じ位置関係にある場合でも、そのハンドオーバー確率は移動局毎に異なるものでなければならない。
【００１５】
また、予約チャネルを開放する方法に関する問題点について説明する。先に説明した、移動局の進行方向を考慮したチャネル割り当て方法の場合、ハンドオーバー確率を自セルからｎステップの範囲内の対象ゾーン（確率算出ゾーン）にすると共に、同じｎステップの範囲（同報ゾーン）内のセルに対してハンドオーバーまたは呼の終了を同報していた。この方式では、ある基地局Ａは移動局がｎステップ先のセルに到着したことは認識できるが、ｎステップ先のセルから（ｎ＋１）ステップ先のセルに移動したことは認識できない。ｎステップ先のセルから（ｎ＋１）ステップ先のセルにハンドオーバーすると、もはや基地局Ａに対しては同報メッセージが届かなくなる。このような場合、基地局Ａは移動局がｎステップ先のセルに滞在しつづけていると判断するため、移動局が離れていくにも関わらず、不要なチャネル予約を継続することになる。
【００１６】
基地局が有するチャネルは有限であり、最大限の有効利用を図る必要があり、移動局が自セルに到着するか否かだけでなく、多様な情報から移動局の動きを読み取り冗長なチャネル確保を抑制するために必要に応じてチャネルを開放することが重要である。移動局が同報ゾーンに存在する場合には、同報メッセージ中の基地局のＩＤから何ステップ先に移動局が存在するかが分かるので、そのＩＤを断続的に管理することにより、少なくとも、移動局が自セルから離れていく状態、または、移動局が自セルに近づいている状態、または、移動局が止まっている状態のいずれの状態であるかを判別することができる。この情報を用いて、さらなるチャネルの有効利用を図る必要がある。
【００１７】
本発明は、上記問題点に鑑みなされたもので、その目的とするところは、無駄なチャネル確保が抑制され、チャネルリソースの最小限度の利用の範囲内で移動呼の通話品質の維持、向上が図れるセルラー式通信システムの構造を提供することにある。
【００１８】
【課題を解決するための手段】
上記目的を達成するため、請求項１記載のセルラー式通信システムは、無線信号により基地局を介して通話を行う複数の移動局と、各セルを構成し、前記移動局より送信される無線信号を受信すると共に、前記移動局に対して無線信号を送出する複数の基地局とから構成されるセルラー式通信システムにおいて、前記基地局は夫々、自セルから数セル先に存在する複数の移動局が自セルにハンドオーバーされる確率を各々算出し、自セルの全チャネル数に対して空きチャネル数が多い場合には、ハンドオーバーされる確率の低い移動局に対してもチャネルが確保されるように、空きチャネル数が少ない場合には、ハンドオーバーされる確率の高い移動局に対してチャネルが確保されるように、前記移動局に対してチャネルを割当てるかを決定する基準となる基準確率値を変化させるよう構成されていることを特徴とするものである。
【００１９】
請求項２記載のセルラー式通信システムは、無線信号により基地局を介して通話を行う複数の移動局と、各セルを構成し、前記移動局より送信される無線信号を受信すると共に、前記移動局に対して無線信号を送出する複数の基地局とから構成されるセルラー式通信システムにおいて、前記基地局は夫々、該基地局に近い移動局が存在する場合には、該移動局に対してチャネルが確保されるように、前記移動局に対してチャネルを割当てるかを決定する基準となる基準確率値を変化させるよう構成されていることを特徴ものである。
【００２０】
請求項３記載のセルラー式通信システムは、無線信号により基地局を介して通話を行う複数の移動局と、各セルを構成し、前記移動局より送信される無線信号を受信すると共に、前記移動局に対して無線信号を送出する複数の基地局とから構成されるセルラー式通信システムにおいて、前記複数の移動局は、ハンドオーバーしたセルを構成する基地局に時刻情報を含むハンドオーバーに関する情報を同報し、該ハンドオーバーを受信した基地局は、他の基地局に対して前記時刻情報を同報送信し、該時刻情報を受信した基地局は夫々、前記時刻情報から前記移動局の移動速度を算出すると共に、前記移動局の移動速度が速い場合には、該移動局に対してチャネルが確保されるように、前記移動局に対してチャネルを割当てるかを決定する基準となる基準確率値を変化させるよう構成されていることを特徴とするものである。
【００２１】
請求項４記載のセルラー式通信システムは、無線信号により基地局を介して通話を行う複数の移動局と、各セルを構成し、前記移動局より送信される無線信号を受信すると共に、前記移動局に対して無線信号を送出する複数の基地局とから構成されるセルラー式通信システムにおいて、前記移動局は夫々、ハンドオーバーしたセルを構成する基地局に時刻情報を含むハンドオーバーに関する情報を同報し、該ハンドオーバーを受信した基地局は、他の基地局に対して前記時刻情報を同報送信し、該時刻情報を受信した基地局は夫々、前記時刻情報から前記移動局の移動加速度を算出すると共に、前記移動局の移動加速度が大きい場合には、該移動局に対してチャネルが確保されるように、前記移動局に対してチャネルを割当てるかを決定する基準となる基準確率値を変化させるよう構成されていることを特徴とするものである。
【００２２】
請求項５記載のセルラー式通信システムは、無線信号により基地局を介して通話を行う複数の移動局と、各セルを構成し、前記移動局より送信される無線信号を受信すると共に、前記移動局に対して無線信号を送出する複数の基地局とから構成されるセルラー式通信システムにおいて、前記基地局は夫々、自セルから数セル先に存在する複数の移動局がハンドオーバーしたセルの方向から、それらの移動局が自セルにハンドオーバーされる確率を各々算出し、これらの確率から確保すべきチャネル数の期待値を求めて、予めチャネル確保を行うことを特徴とするものである。
【００２３】
請求項６記載のセルラー式通信システムは、請求項５記載のセルラー式通信システムにおいて、前記基地局が、自セルからｎステップの範囲に存在する複数の移動局が自セルにハンドオーバーされる確率を各々算出するように設定されているとき、ハンドオーバー先のセルを構成する基地局は、（ｎ＋１）ステップ先までのセルを構成する各基地局に対してハンドオーバーに関する情報を同報し、前記基地局は夫々、他の基地局から同報された情報から自セルに移動局がハンドオーバーされる確率を算出することを特徴とするものである。
【００２４】
請求項７記載のセルラー式通信システムは、請求項６記載のセルラー式通信システムにおいて、前記基地局は夫々、ハンドオーバーが発生したときに同報する情報に時刻情報を付与し、ハンドオーバーの時刻差から前記移動局の移動速度を判別し、移動速度が速ければ、ｎステップの範囲を有する、ハンドオーバーされる確率を算出する確率算出ゾーンと、（ｎ＋１）ステップの範囲を有する、ハンドオーバーに関する情報を同報する同報ゾーンとを共に大きくすることを特徴とするものである。
【００２５】
請求項８記載のセルラー式通信システムは、請求項６記載のセルラー式通信システムにおいて、前記基地局は夫々、ハンドオーバーが発生したときに、自セルから離れていく位置関係にある前記移動局が存在するセルを構成する基地局に対しては、該基地局が自セルから（ｎ＋１）ステップの範囲内であっても、ハンドオーバーに関する情報を同報通知しないことを特徴とするものである。
【００２６】
請求項９記載のセルラー式通信システムは、請求項５記載のセルラー式通信システムにおいて、前記基地局は夫々、自セルからｎステップの範囲に存在する複数の移動局が自セルにハンドオーバーされる確率を各々算出する確率算出ゾーンと、自セルから（ｎ＋１）ステップ先までのセルを構成する各基地局に対してハンドオーバーに関する情報を同報する同報ゾーンとを設定し、過去のトラフィック履歴から、利用頻度の高いルートを考慮して前記移動局が自セルにハンドオーバーされる確率を算出することを特徴とするものである。
【００２７】
請求項１０記載のセルラー式通信システムは、請求項５記載のセルラー式通信システムにおいて、前記基地局は夫々、自セルからｎステップの範囲に存在する複数の移動局が自セルにハンドオーバーされる確率を各々算出する確率算出ゾーンと、自セルから（ｎ＋１）ステップ先までのセルを構成する各基地局に対してハンドオーバーに関する情報を同報する同報ゾーンとを設定し、ゾーン単位の遷移確率から前記移動局が自セルにハンドオーバーされる確率を算出することを特徴とするものである。
【００２８】
請求項１１記載のセルラー式通信システムは、請求項９または請求項１０記載のセルラー式通信システムにおいて、前記基地局は夫々、前記移動局が有する固有のＩＤをキーとして、該移動局が自セルにハンドオーバーされる確率を算出することを特徴とするものである。
【００２９】
請求項１２記載のセルラー式通信システムは、請求項１記載のセルラー式通信システムにおいて、前記基地局は夫々、自セルからｎステップの範囲に存在する複数の移動局が自セルにハンドオーバーされる確率を各々算出する確率算出ゾーンと、自セルから（ｎ＋１）ステップ先までのセルを構成する各基地局に対してハンドオーバーに関する情報を同報する同報ゾーンとを設定し、前記移動局の呼が終了したとき、または、前記移動局が前記確率算出ゾーン外のセルにハンドオーバーしたときに、前記同報ゾーン内の基地局に対して通知を行うと共に、チャネル確保を解除することを特徴とするものである。これにより、呼の終了と同時に基地局が即座にチャネルを開放することができる。
【００３０】
請求項１３記載のセルラー式通信システムは、請求項１記載のセルラー式通信システムにおいて、前記基地局は夫々、前記移動局が自セルにハンドオーバーされる確率が所定値以上であっても、所定時間内に自セルに対してハンドオーバーされなかったときには、タイマのタイムアウトによりチャネル確保を解除することを特徴とするものである。これにより、統計情報からハンドオーバーされると予想された移動局が、実際にはタイムアウト時間を経過してもハンドオーバーされなかった場合に、この移動局に関するチャネルの設定を無効にすることが可能となる。
【００３１】
請求項１４記載のセルラー式通信システムは、請求項１記載のセルラー式通信システムにおいて、前記基地局は夫々、前記移動局が自セルにハンドオーバーされる確率が所定値以上であっても、所定時間内にどのセルに対してもハンドオーバーされなかったときには、タイマのタイムアウトによりチャネル確保を解除することを特徴とするものである。これにより、タイマのタイムアウトにより、移動局がある特定のセルに止まっていることを検知し、この移動局に関するチャネルの設定を無効にすることができる。
【００３２】
請求項１５記載のセルラー式通信システムは、請求項１記載のセルラー式通信システムにおいて、前記基地局は夫々、前記移動局が自セルにハンドオーバーされる確率が所定値以上であっても、自セルから離れていく方向のセルに前記移動局がハンドオーバーされたときには、チャネル確保を解除することを特徴とするものである。これにより、ハンドオーバー先の基地局からの同報メッセージにより移動局が自セルから離れる方向に移動していることを検知し、この移動局に関するチャネルの設定を無効にすることが可能となる。
【００３３】
【発明の実施の形態】
本発明のセルラー式通信システムの一実施形態を図１の説明図に基いて説明する。例えば、セルＡの全チャネル数が４であり、空きチャネル数が１つの場合は基準確率値Pthred=0.6とし、空きチャネル数が２つの場合は基準確率値Pthred=0.3とする。このようにハンドオーバーされる確率に応じて基準確率値Pthredを動的に変えるように構成することによって、セルＡから数ゾーン離れた移動局Ｍについて、セルＡに対してハンドオーバーされる確率Ｐが0.5 である場合、セルＡの全チャネル数４に対して空きチャネルが１つあればＰ＜Pthredであるため、セルＡを構成する基地局は、移動局Ｍに対してチャネル割当てを行わないが、空きチャネルが２つあればＰ＞Pthredとなるため、セルＡを構成する基地局は、移動局Ｍに対してチャネル割当てを行うようになる。
【００３４】
次に、本発明のセルラー式通信システムの異なる実施形態を図２の説明図に基いて説明する。セルＡに隣接するセルの範囲（隣接ゾーン）をゾーンＢとし、ゾーンＢの外側に隣接するゾーンをゾーンＣとする。ここで、移動局がゾーンＣに存在する場合、基準確率値Pthred=0.55 とし、移動局がゾーンＢに存在する場合、基準確率値Pthred=0.4としておく。
【００３５】
まず、移動局ＭがセルＡに接近する場合について説明する。今、移動局がゾーンＣからゾーンＢへハンドオーバーし、ゾーンＣにおけるセルＡへのハンドオーバー確率Ｐｃが0.5 、ゾーンＢにおけるセルＡへのハンドオーバー確率Ｐｂが0.6 である場合（図２の１−１の場合）は、ゾーンＣにおいては、Ｐ＜Pthredであることから、移動局Ｍに対してチャネル割当てを行わない。一方、ゾーンＢにおいては、Ｐｂ＞Pthredとなるため、セルＡを構成する基地局は、移動局Ｍに対してチャネル割当てを行う。
【００３６】
次に、ゾーンＣにおけるセルＡへのハンドオーバー確率Ｐｃが0.5 、ゾーンＢにおけるセルＡへのハンドオーバー確率Ｐｂが0.5 の場合（図2 の１−２参照）は、ゾーンＣにおいては、Ｐｃ＜Pthredであることから、移動局Ｍに対してチャネル割当てを行わない。一方、ゾーンＢにおいては、Ｐｂ＞Pthredとなるため、セルＡを構成する基地局は、移動局Ｍに対してチャネル割当てを行う。この場合のように、移動局のハンドオーバー確率がゾーンを移動しても変化しない場合においても、上記のような値の設定であれば、移動局に対してチャネルが割り当てられることになる。
【００３７】
次に、移動局ＭがセルＡから遠ざかる場合について説明する。ゾーンＣにおけるセルＡへのハンドオーバー確率Ｐｃが0.5 、ゾーンＢにおけるセルＡへのハンドオーバー確率Ｐｂが0.6 で、移動局ＭがゾーンＢに存在するとすると（図２の２−１参照）、Ｐｂ＞Pthredの関係からセルＡにおいてチャネル割当てされている。そこで、移動局ＭがゾーンＣへハンドオーバーした場合、Ｐｃ＜Pthredとなるため、セルＡにおいて割り当てられたチャネルはこの時点において解放される。
【００３８】
次に、ゾーンＣにおけるセルＡへのハンドオーバー確率がＰｃ0.5 、ゾーンＢにおけるセルＡへのハンドオーバー確率Ｐｂが0.5 の場合（図２の２−２参照）は、ゾーンＢにおいては、Ｐｂ＞Pthredであるため、移動局Ｍに対してチャネル割当てを行う。一方、ゾーンＣにおいては、Ｐｃ＜Pthredとなるため、セルＡを構成する基地局は、移動局Ｍに対して割当てたチャネルを解放する。この場合のように、移動局のハンドオーバー確率がゾーンを移動しても変化しない場合においても、上記のような値の設定であれば、移動局に対するチャネル割当てが解放されることになる。
【００３９】
次に、本発明のセルラー式通信システムのさらに異なる実施形態を図３の説明図に基いて説明する。移動局ＭがセルＤ０にハンドオーバーされた際、セルＤ０からセルＡに対してハンドオーバーに関する情報が同報されるように構成されており、その同報情報の中に、図に示すようにハンドオーバーされた時の時刻情報が含まれるように構成しておく。同様に移動局ＭがセルＤ０からセルＣ０へハンドオーバーされた際には、セルＣ０は時刻情報を同報送信する。この時、セルＡは、セルＤ０からの同報情報の時刻とセルＣ０からの同報情報の時刻の差から移動局Ｍの移動速度を算出する。セルＣ０からセルＢ０への移動速度も同様にして、セルＣ０からの同報時刻とセルＢ０からの同報時刻との差から算出する。ここで、移動局ＭがセルＤ０にハンドオーバーされた時点での基準確率値Pthredの値を0.5 とすると、移動局Ｍが高速でセルＡに接近する場合、移動局Ｍのハンドオーバーに備え、Pthred=0.4に設定する。移動局Ｍが低速でセルＡに接近する場合、移動局Ｍが通話状態でセルＡまで到着する確率、即ち、セルＡにハンドオーバーする確率が低くなったと判断し、基準確率値Pthred=0.6に設定する。ちなみに、移動局ＭがセルＡから遠ざかる方向に移動している場合には、速度に関係なく基準確率値Pthredを上昇させる。
【００４０】
次に、本発明のセルラー式通信システムのさらに異なる実施形態を図３の説明図に基いて説明する。前述した方法で移動局Ｍの速度を算出し、セルＤ０からセルＣ０へハンドオーバーされたときの速度とセルＣ０からセルＢ０へハンドオーバーされた時の速度とを比較することにより、移動局の加速度を算出する。ここで、移動局ＭがセルＤ０にハンドオーバーされた時点での基準確率値Pthredの値を0.5 とすると、移動局Ｍが加速してセルＡに接近する場合、移動局Ｍのハンドオーバーに備え、基準確率値Pthred=0.4に設定する。一方、移動局Ｍが減速してセルＡに接近する場合、移動局Ｍが通話状態でセルＡまで到着する確率、即ち、セルＡにハンドオーバーする確率が低くなったと判断し、基準確率値Pthred=0.6に設定する。ちなみに、移動局ＭがセルＡから遠ざかる方向に移動している場合には、加速しているか減速しているかに関係なく、基準確率値Pthredを上昇させる。
【００４１】
さらに、本発明のセルラー式通信システムのさらに異なる実施形態を図４の説明図に基いて説明する。セルＡの確率算出ゾーン（図４ではセルＡから３ステップ先までの範囲）に３台の移動局ＰＳ１〜ＰＳ３が存在し、セルＡに対するハンドオーバー確率がそれぞれ、Ｐ１=0.3、Ｐ２=0.6、Ｐ３=0.6であるとすると、この場合、セルＡにおいて確保すべきチャネル数の期待値Ｖは次式により1.5 となる。
Ｖ＝｛（１−Ｐ２）（１−Ｐ３）Ｐ１＋（１−Ｐ３）（１−Ｐ１）Ｐ２＋（１−Ｐ１）（１−Ｐ２）Ｐ３｝×１＋｛Ｐ２Ｐ３（１−Ｐ１）＋Ｐ３Ｐ１（１−Ｐ２）＋Ｐ１Ｐ２（１−Ｐ３）｝×２＋（Ｐ１Ｐ２Ｐ３）×３＝１．５
従って、この場合、セルＡを構成する基地局はハンドオーバー呼用に２チャネルを割当てるようにする。
次に、本発明のセルラー式通信システムのさらに異なる実施形態を図５の説明図に基いて説明する。移動局が、図に示すように、０から５のルートを経てハンドオーバーする場合、まず、移動局が１に到達した時点において、セルＡにはハンドオーバーの同報情報が通知される。つまり、ここでは、ｎ＝３に設定され、（ｎ＋１）である４ステップ先までハンドオーバーに関する情報を通知するというように設定されており、移動局がセルＥ３から４ステップの位置にあたるセルＡに対しては、この時点で同報される（以下、この状態を同報通知ゾーンが４であるという表現を用いて表すこととする）。しかし、この時点では、ハンドオーバー確率の計算は実行しない。これは、ｎステップ先までの範囲であるハンドオーバー確率算出対象ゾーンが３であるためである。つまり、セルＡから３ステップ先までのゾーン（Ｄゾーン）までしかハンドオーバー確率を算出しないように設定されているためである。
【００４２】
次に、２から４のルートにおいて、ハンドオーバー確率の計算が実行され、この場合の例では、ルート２の場合はＰ２=0.4＜Pthredより、チャネル割当て無し、ルート３の場合はＰ３＝0.6 ＞Pthredより、チャネル割当てを実行し、ルート４の場合はＰ４＜Pthredより、上記割当てチャネルを解放することになる。ここで、さらに、ルート５にハンドオーバーした場合、セルＡには同報され、セルＡは移動局が確率算出対象ゾーンから外れたことを認識し、ハンドオーバー確率の演算を終了する。
【００４３】
次に、本発明のセルラー式通信システムのさらに異なる実施形態を図６の説明図に基いて説明する。セルＡを構成する基地局は、隣接セルＢ５に移動局がハンドオーバーされたときに、時刻情報を含んだ同報情報を受信する。セルＡを構成する基地局はこの時刻を記憶しておき、次にセルＢ５からセルＡにハンドオーバーされたときの時刻との差から、移動局の移動速度を算出する。ここで、ハンドオーバー時における移動局の移動速度Ｖと、（ｎ＋１）のステップの範囲を有する同報通知ゾーンとの関係がｎ＋１＝Ｖ／１０となるように設定しておく。このように構成することによって、（１）のように、Ｖ＝４０（ｋｍ／ｈ）の場合はｎ＋１＝４となり、Ｖ＝２０（ｋｍ／ｈ）の場合はｎ＋１＝２となり、移動局の移動速度に応じて同報通知ゾーンの大きさを可変にすることができる。
【００４４】
次に、本発明のセルラー式通信システムのさらに異なる実施形態を図７の説明図に基いて説明する。図のように、移動局がセルＢ２からセルＡへハンドオーバーされる場合を考える。このとき、セルＡを構成する基地局は、基地局内部で保有する図中のテーブルを参照する。テーブルの一番左の列は、セルＡに隣接するセルが記載され、テーブルの中央の列は、同報通知ゾーンの１つ外側のゾーンに属するセルであって、セルＡと、テーブルの一番左の列に記載されたセル（例えば、セルＢ２）とを結ぶ直線上に位置するセルが記載されている。さらに、テーブルの一番右の列にセルＡの同報通知ゾーン、及び、テーブルの中央に記載されたセル（図ではセルＥ５）の同報通知ゾーンに属するセル（図ではセルＢ２，Ｃ２−Ｃ４，Ｄ２−Ｄ６）が記載されている。テーブルの一番右の列に記載された各セルが、移動局から遠ざかる位置関係にあるセルとして同報対象から除外され、残りの黒色で示されたセルに対してのみ、セルＡからハンドオーバー情報が通知されるように構成されている。
【００４５】
次に、本発明のセルラー式通信システムのさらに異なる実施形態を図８〜図１０の説明図に基いて説明する。図８に示すように、確率算出対象ゾーン外のＥゾーンからセルＤ１２へハンドオーバーされる場合を考える。従来は、セルＤ１２からセルＡへの最短ステップである、Ｄ１２→Ｃ９→Ｂ５→Ａ、Ｄ１２→Ｃ８→Ｂ５→Ａ、Ｄ１２→Ｃ８→Ｂ４→Ａの３ルートを無条件に選択して確率算出の対象ルートとしていた。
【００４６】
本発明では、確率算出の対象ルートをセルＤ１２からセルＡへの全ルートを対象候補とし、実際に移動局が過去に移動したデータから確率算出の対象ルートを決定する。例えば、移動局がＤ１２→Ｃ９→Ｃ１０とハンドオーバーした場合、従来は、セルＣ１０へハンドオーバーされた時点で確率算出の対象ルートがＣ１０からの最短ステップ、即ち、Ｃ１０→Ｂ６→Ａ、Ｃ１０→Ｂ５→Ａに変更されていたが、本発明ではリングデータベースを形成して対象ルートを決定するようにする。
【００４７】
まず、図９に基いて、同報される情報について説明する。図は、移動局ＩＤ（ＰＳＩＤ）が１２１２１０１０の移動局が、セルＣ１からセルＡに移動していく際に、各基地局からセルＡを構成する基地局ＣＡに同報される情報について説明したものである。同報通信のメッセージには、ハンドオーバー元の基地局ＩＤ（ＣＳ−ＩＤ）と、ハンドオーバー先の基地局ＩＤ（ＣＳ−ＩＤ）と、移動局ＩＤ（ＰＳ−ＩＤ）とが含まれており、図に示す場合は、セルＣ１，Ｃ２，Ｃ３，Ｃ４を構成する基地局Ｘ１〜Ｘ４から、セルＡを構成する基地局ＣＡに、図に示す４つのメッセージが送信される。
【００４８】
次に、同報された情報を受信した基地局側の処理を図１０に基いて説明する。同報された情報を受信したセルＡの基地局ＣＡでは、図９に示した４つのメッセージの移動局ＩＤ（ＰＳ−ＩＤ）が同じであるため、これらのメッセージから移動局がどのようにハンドオーバーしてきたかという情報を得て、その頻度を記憶しておく。図に示す例では、基地局Ｘ１→基地局Ｘ２→基地局Ｘ３→基地局Ｘ４というようにハンドオーバー先が変化したので、リンクデータベースのＸ１→Ｘ２→Ｘ３→Ｘ４に対応するカウント値をインクリメントする。また、ハンドオーバー情報を受信する毎に、ハンドオーバー先の基地局ＩＤ（ＣＳ−ＩＤ）別に受信数を、ハンドオーバー先ＣＳ−ＩＤ統計データベースとして記憶しておく。
【００４９】
以上に説明したように、データベースを構成しておき、図８に示すように、ハンドオーバー先ＣＳ−ＩＤ統計データベースから、ゾーンＥからセルＤ１２にハンドオーバーされた移動局の総数を求め、セルＤ１２からセルＡに移動するルートのうち、例えば、その総数の１割以上の数をカウントしたルートを、リンクデータベースから抽出し、それらのルートを、以降の確率算出の対象ルートとして採用するように構成しておく。図に示す例では、ゾーンＥからセルＤ１２にハンドオーバーされた移動局の総数が１０００であり、その１割（１００）以上の数の履歴が存在するルートとして、リンクデータベースから、Ｄ１２→Ｃ９→Ｂ５→Ａ、Ｄ１２→Ｃ８→Ｂ４→Ａ、Ｄ１２→Ｃ９→Ｃ１０→Ｂ６→Ａという３つのルートが抽出されている。但し、セルＡにハンドオーバーされる前に移動局が呼終了した場合は、リンクデータを記録しないようにする。以上のようにして、セルＤ１２からセルＡにハンドオーバーされた全移動局から得られるリンクデータを基に、確率算出の対象ルートが決定される。この場合、最短ルートであったとしても、Ｄ１２→Ｃ８→Ｂ５→Ａのルートは確率算出の対象から除外されることになる。
【００５０】
次に、本発明のセルラー式通信システムのさらに異なる実施形態を図１１の説明図に基いて説明する。同報により移動局のハンドオーバー情報を通知された基地局は、従来の場合は、移動局が位置するセルから自セルへの最短ステップを選択し、図８に示した発明の場合は、過去の移動局が移動したデータから経由頻度の高いルートを選択して、自セルへのハンドオーバー確率を算出し、チャネルの割当て／非割当てを決定していた。本実施例では、図１１に示すようにリンクデータベースをルートで管理するのではなく、ゾーン単位で管理するように構成する。つまり、経由ルートに関係なく、ゾーンＤ→ゾーンＣ→ゾーンＢ→ゾーンＡを経由した移動局は全てリンクデータベースで、ZoneＤ→ZoneＣ→ZoneＢ→ZoneＡの項目に対応するカウント値としてインクリメントする。このようにして過去に移動局が移動したデータを管理し、確率算出の対象を決定する。
次に、本発明のセルラー式通信システムのさらに異なる実施形態を図１２の説明図に基いて説明する。ルート単位の確率算出を行う場合にも、ゾーン単位の確率算出を行う場合にも適用できるが、ここでは、ルート単位の確率算出を行う場合について説明する。図１０に示した例では、同報により通知されるハンドオーバーに関する情報に移動局のＩＤ（ＰＳ−ＩＤ）を含むように構成していたが、これは、リンクデータベースを構成するために必要なデータであった。しかし、図１０に示した例では、リンクデータベースの各項目（各ルート）に対応してインクリメントされるカウント値は、どの移動局によってもたらされたかに関係なくインクリメントされるように構成されていた。
【００５１】
図１２に示す発明では、図１０に示したリンクデータベースを拡張し、移動局のＩＤ（ＰＳ−ＩＤ）を区別できるように構成した。つまり、１つのルートでも移動局のＩＤ（ＰＳ−ＩＤ）別にカウントするように構成している。このように構成しておき、移動局ＩＤ（ＰＳ−ＩＤ）をキーとして、移動局のＩＤ（ＰＳ−ＩＤ）別の、新たなリンクデータベースを構成する。この新たなリンクデータベースには、各ルートについて移動局毎のインクリメント値が設定されている。同様にして、ハンドオーバー先ＣＳ−ＩＤ統計データベースも、移動局のＩＤ（ＰＳ−ＩＤ）をキーとして新たなデータベースを構成しておく（図示省略）。そして、移動局のハンドオーバー確率Ｐを、同一の移動局ＩＤに対応した値に基いて、Ｐ＝（ＰＳ−ＩＤをキーとしたリンクデータベース中のインクリメント値) ／（ＰＳ−ＩＤをキーとしたハンドオーバー先ＣＳ−ＩＤ統計データベース中のインクリメント値）として求め、この値をチャネル割当てを決定する基準確率値Pthredと比較して空きチャネルの割当て制御を行うように構成する。
【００５２】
次に、図１３に基づいてチャネルの開放の方法に関して本発明のセルラー式通信システムのさらに異なる実施形態について説明する。移動局がセルＣ１０で発呼し、セルＢ６を経由してセルＡで呼を終了した場合、セルＡを構成する基地局は、セルＡの同報ゾーン内の全セルに対して、移動局の呼が終了したことを通知する。通知を受けた各基地局は、この移動局に関するチャネル予約を行っていた場合、そのチャネル予約を解除する。
【００５３】
図１３に示したセルラー式通信システムで、確率算出ゾーンを自セルからｎステップの範囲内とし、同報ゾーンを自セルから（ｎ＋１）ステップの範囲内とするというように、同報ゾーンを確率算出ゾーンよりも広く設定してもよい。例えば、図１４に示すように、確率算出ゾーンを自セルから２ステップの範囲内とし、同報ゾーンを自セルから３ステップの範囲内とする。通話中の移動局がセルＢ６からセルＡへハンドオーバーした場合、セルＡを構成する基地局は、ゾーンＢ〜ゾーンＤのセルに対してハンドオーバー情報を通知する。このとき、実際にハンドオーバー確率を算出し、必要であれば、チャネル予約を行うのはゾーンＢ〜ゾーンＣに存在する基地局のみとする。
【００５４】
移動局がセルＢ６に存在しているとき、セルＤ１４，Ｄ１５は、それぞれ確率算出ゾーンに位置するが、移動局がセルＢ６からセルＡへハンドオーバーすると、移動局は同報ゾーン内に位置するが、確率算出ゾーンからは外れるため、セルＤ１４，Ｄ１５を構成する基地局は、その移動局に対してチャネル予約を行っていた場合、この移動局に関するチャネル予約を解除する。
【００５５】
次に、図１５に基づいてチャネルの開放の方法に関して本発明のセルラー式通信システムのさらに異なる実施形態について説明する。確率算出ゾーンは自セルから２ステップの範囲内であり、同報ゾーンは自セルから３ステップの範囲内であるとして説明する。また、通話中の移動局が、図に示すように、セルＥ１９，セルＤ１４，セルＣ９，セルＣ８，セルＢ４の順にハンドオーバーし、セルＢ４において呼を終了したとする。
【００５６】
セルＡを構成する基地局は、移動局がセルＤ１４へハンドオーバーしたときに同報ゾーンに入るので、セルＤ１４を構成する基地局からのハンドオーバー情報を受信するが、確率算出はこの時点では開始しない。移動局がセルＣ９へハンドオーバーしたとき、セルＡは確率算出ゾーンへ入ることから、セルＡを構成する基地局は、この時点でチャネル予約に関するタイマを起動する。そして確率算出の結果、セルＡにおいてチャネル予約が実行される。その後、セルＣ８，セルＢ４へとハンドオーバーし、この時点において先のタイマがタイムアウトした場合は、セルＡを構成する基地局は、自セルに対してハンドオーバーしないものと判断して先のチャネル予約を解除する。
【００５７】
次に、図１６に基づいてチャネルの開放の方法に関して本発明のセルラー式通信システムのさらに異なる実施形態について説明する。図で、セルＸは、セルＡの確率算出ゾーンに位置するセルであり、移動局がセルＸにおいて発呼し、セルＸを構成する基地局は、同報ゾーンに対してメッセージを通知する。メッセージを受信した各基地局は、移動局がセルＸからハンドオーバーすることによってタイマを起動する。この場合のタイマは発呼によって起動されるだけでなく、ハンドオーバーによっても起動される。また、このタイマは図１５に示した実施形態のタイマと同一のタイマであってもよい。
【００５８】
セルＡはセルＸの確率算出ゾーンに位置することから、ハンドオーバー確率を算出する。そして確率算出の結果、セルＡにおいてチャネル予約が行われれるが、移動局がセルＸからハンドオーバーすることなく通話状態を継続し、先のタイマがタイムアウトした場合、セルＡを構成する基地局は、自セルに対してハンドオーバーしないものと判断して、先のチャネル予約を解除する。
【００５９】
最後に、図１７に基づいてチャネルの開放の方法に関して本発明のセルラー式通信システムのさらに異なる実施形態について説明する。システムの確立算出ゾーンのステップ数は３であるとして説明する。通話中の移動局がセルＢ２からセルＡにハンドオーバーされた場合、セルＡを構成する基地局は、同報ゾーン（ゾーンＢ〜ゾーンＥ）に位置する基地局にメッセージを通知する。確率算出ゾーン（ゾーンＢ〜ゾーンＤ）のセルのうち、移動局が離れていく位置関係に属するセル（セルＢ２、セルＣ２〜Ｃ４、セルＤ２〜Ｄ６）を構成する各基地局は、この移動局に関するチャネルの予約を実施している場合、チャネル予約を解除する。ここで、便宜上、ゾーンＢを第１ゾーン、ゾーンＣを第２ゾーン、ゾーンＤを第３１ゾーンというようにすると、例えば、セルＣ４については、セルＢ２は第１ゾーン、セルＡは第２ゾーンであることから、移動局がセルＢ２からセルＡへハンドオーバーした場合、セルＣ４は移動局が離れていく位置関係にあることになる。セルＣ４において、この移動局に関するチャネル予約を実行していた場合、セルＣ４を構成する基地局はチャネルの予約を解除する。
【００６０】
【発明の効果】
以上のように構成したことにより、請求項１記載のセルラー式通信システムによれば、空きチャネルを考慮したチャネル割当てを行うことができるので、チャネルリソースの最小限度の利用の範囲内で、移動呼の通話品質を維持することができるという効果を奏する。
【００６１】
請求項２記載のセルラー式通信システムによれば、移動局との位置関係を考慮したチャネル割当てを行うことができ、移動局の到達時刻までの間の無駄なチャネル確保が抑制され、チャネルリソースの最小限度の利用の範囲内で、移動呼の通話品質を維持することができるという効果を奏する。
【００６２】
請求項３記載のセルラー式通信システムによれば、移動局の到達時刻を考慮したチャネル割当てを行うことができ、移動局の到達時刻までの間の無駄なチャネル確保が抑制され、チャネルリソースの最小限度の利用の範囲内で、移動呼の通話品質を維持することができるという効果を奏する。
【００６３】
請求項４記載のセルラー式通信システムによれば、移動局の到達時刻を考慮したチャネル割当てを行うことができ、移動局の到達時刻までの間の無駄なチャネル確保が抑制され、チャネルリソースの最小限度の利用の範囲内で、移動呼の通話品質を維持することができるという効果を奏する。
【００６４】
請求項５記載のセルラー式通信システムによれば、複数の移動局が存在する環境下において、移動中の通話呼の通話品質の維持、向上を実現することができるという効果を奏する。
【００６５】
請求項６記載のセルラー式通信システムによれば、ハンドオーバーされる確率の低い移動局をいち早く検出し、割当てチャネルを解放することにより、チャネルリソースを有効活用できるという効果を奏する。例えば、率算出ゾーンに侵入した後、確率算出ゾーン外へハンドオーバーした通話呼に対するチャネル割当て制御を行うことが可能となる。
【００６６】
請求項７記載のセルラー式通信システムによれば、複数の移動局が存在する環境下において、高速移動中の通話呼の通話品質の維持、向上を実現することができ、移動局の移動速度に依存することなく、各基地局に対して確率を算出し始めてから実際にハンドオーバーされるまでの猶予時間を保証することが可能となる。
【００６７】
請求項８記載のセルラー式通信システムによれば、移動局の移動方向に合わせて、ハンドオーバー情報を最小必要限度に抑制することが可能となり、冗長な回線利用を最小限度に抑え、回線リソースを有効活用できるという効果を奏する。
【００６８】
また、請求項９及び請求項１０記載のセルラー式通信システムによれば、実際の移動局の移動特性を反映することにより、セル間の最短ステップと移動局の最も遷移確率が高いルートが一致しない道路・交通環境における予測のヒット率を向上させることができる。
【００６９】
また、請求項１１記載のセルラー式通信システムによれば、移動局の移動動作を画一化せず、移動局毎の移動の性質を反映して移動局毎に最適な遷移確率を適用することにより、個々の移動局についてハンドオーバーの予測精度が向上し、各々通話呼の通話品質の維持、向上を実現することができるという効果を奏する。
【００７０】
また、請求項１２記載のセルラー式通信システムによれば、確率算出ゾーンに位置する各基地局が、移動局の通話の終了したことを即座に検知することが可能であることから、終了した呼に対する無駄なチャネル予約を回避することが可能となる。また、同報ゾーンを拡張することにより、移動局が確率算出ゾーン内から外に移動した場合においても、各基地局が正しい移動局の動きを検知することが可能であるため、より確率算出の精度が向上するという効果を奏する。
【００７１】
また、請求項１３記載のセルラー式通信システムによれば、自セルに対するハンドオーバーの見込みのない移動中の通話呼に対する冗長なチャネル予約を早期に回避し、より可能性のある移動局に対してより多くのチャネルを割り当てることができるという効果を奏する。
【００７２】
また、請求項１４記載のセルラー式通信システムによれば、自セルに対するハンドオーバーの見込みのない通話呼に対する冗長なチャネル予約を早期に回避し、より可能性のある移動局に対してより多くのチャネルを割り当てることができるという効果を奏する。
【００７３】
また、請求項１５記載のセルラー式通信システムによれば、自セルに対するハンドオーバーの見込みのない移動中の通話呼に関して、特に自セルから離れていく移動局を、基地局のＩＤから得られるゾーン情報を基にして即座に検知し、このような移動局に対する冗長なチャネル予約を早期に回避し、より可能性のある移動局に対してより多くのチャネルを割り当てることができるという効果を奏する。
【図面の簡単な説明】
【図１】本発明のセルラー式通信システムの一実施形態を示す説明図である。
【図２】本発明のセルラー式通信システムの異なる実施形態を示す説明図である。
【図３】本発明のセルラー式通信システムのさらに異なる実施形態を示す説明図である。
【図４】本発明のセルラー式通信システムのさらに異なる実施形態を示す説明図である。
【図５】本発明のセルラー式通信システムのさらに異なる実施形態を示す説明図である。
【図６】本発明のセルラー式通信システムのさらに異なる実施形態を示す説明図である。
【図７】本発明のセルラー式通信システムのさらに異なる実施形態を示す説明図である。
【図８】本発明のセルラー式通信システムのさらに異なる実施形態を示す説明図である。
【図９】本発明のセルラー式通信システムの同報メッセージを示す説明図である。
【図１０】本発明のセルラー式通信システムのデータベースを示す説明図である。
【図１１】本発明のセルラー式通信システムのさらに異なる実施形態を示す説明図である。
【図１２】本発明のセルラー式通信システムのさらに異なる実施形態を示す説明図である。
【図１３】本発明のセルラー式通信システムのさらに異なる実施形態を示す説明図である。
【図１４】本発明のセルラー式通信システムのさらに異なる実施形態を示す説明図である。
【図１５】本発明のセルラー式通信システムのさらに異なる実施形態を示す説明図である。
【図１６】本発明のセルラー式通信システムのさらに異なる実施形態を示す説明図である。
【図１７】本発明のセルラー式通信システムのさらに異なる実施形態を示す説明図である。
【符号の説明】
Ｘ０〜Ｘ４                基地局
Ｍ，ＰＳ１〜ＰＳ３        移動局
【図１】
0004172098.tif 000002
【図２】
0004172098.tif 000003
【図３】
0004172098.tif 000004
【図４】
0004172098.tif 000005
【図５】
0004172098.tif 000006
【図６】
0004172098.tif 000007
【図７】
0004172098.tif 000008
【図８】
0004172098.tif 000009
【図９】
0004172098.tif 000010
【図１０】
0004172098.tif 000011
【図１１】
0004172098.tif 000012
【図１２】
0004172098.tif 000013
【図１３】
0004172098.tif 000014
【図１４】
0004172098.tif 000015
【図１５】
0004172098.tif 000016
【図１６】
0004172098.tif 000017
【図１７】
0004172098.tif 000018